【手続補正書】
【提出日】平成30年8月10日(2018.8.10)
【手続補正１】
【補正対象書類名】明細書
【補正対象項目名】発明の名称
【補正方法】変更
【補正の内容】
【発明の名称】電子機器、アクセサリー機器、その制御方法、および制御プログラム
【手続補正２】
【補正対象書類名】明細書
【補正対象項目名】０００１
【補正方法】変更
【補正の内容】
【０００１】
本発明は、電子機器、アクセサリー機器、その制御方法、および制御プログラムに関し、特に、電子機器とアクセサリー機器との接続検知制御およびその通信仕様（通信プロトコル）の切り替え制御に関する。
【手続補正３】
【補正対象書類名】明細書
【補正対象項目名】０００２
【補正方法】変更
【補正の内容】
【０００２】
一般に、電子機器の一つとしてデジタルカメラなどの撮像装置がある。従来、デジタルカメラなどの撮像装置において、撮像装置（以下撮像装置本体又はカメラ本体ともいう）とストロボ装置又は交換レンズユニットなどのアクセサリー機器（以下単にアクセサリーとも呼ぶ）とを接続した際には、撮像装置本体とアクセサリーとの通信端子の接続検知が行われる。そして、接続検知の際には、カメラ本体とアクセサリーとの間で通信が行われ、カメラ本体ではアクセサリーから返信がない場合又は返信データに異常がある場合に接続異常であると判定している。
【手続補正４】
【補正対象書類名】明細書
【補正対象項目名】０００８
【補正方法】変更
【補正の内容】
【０００８】
そこで、本発明の目的は、電子機器とアクセサリーとの間で通信を行うことなく、電子機器とアクセサリーとの接続を確認することが可能な電子機器、アクセサリー機器、その制御方法、および制御プログラムを提供することである。
【手続補正５】
【補正対象書類名】明細書
【補正対象項目名】０００９
【補正方法】変更
【補正の内容】
【０００９】
さらに、本発明の他の目的は、第１の通信方式による通信を行うことなく、第２の通信方式への切り替えを行うことのできる電子機器、アクセサリー機器、その制御方法、および制御プログラムを提供することにある。
【手続補正６】
【補正対象書類名】明細書
【補正対象項目名】００１０
【補正方法】変更
【補正の内容】
【００１０】
上記の目的を達成するため、本発明による電子機器は、接続されたアクセサリー機器と通信可能な電子機器であって、前記アクセサリー機器が予め定められた第１の通信方式および前記第１の通信方式の通信速度よりその通信速度が速い第２の通信方式の双方に対応しているか否かを検出する検出手段と、前記検出手段によって前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定手段と、を有することを特徴とする。
【手続補正７】
【補正対象書類名】明細書
【補正対象項目名】００１１
【補正方法】変更
【補正の内容】
【００１１】
本発明による制御方法は、接続されたアクセサリー機器と通信可能な電子機器の制御方法であって、前記アクセサリー機器が予め定められた第１の通信方式および前記第１の通信方式の通信速度よりその通信速度が速い第２の通信方式の双方に対応しているか否かを検出する検出ステップと、前記検出ステップで前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定ステップと、を有することを特徴とする制御方法。
【手続補正８】
【補正対象書類名】明細書
【補正対象項目名】００１２
【補正方法】変更
【補正の内容】
【００１２】
本発明による制御プログラムは、接続されたアクセサリー機器と通信可能な電子機器で用いられる制御プログラムであって、前記電子機器が備えるコンピュータに、前記アクセサリー機器が予め定められた第１の通信方式および前記第１の通信方式の通信速度よりその通信速度が速い第２の通信方式の双方に対応しているか否かを検出する検出ステップと、前記検出ステップで前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定ステップと、を実行させることを特徴とする。
【手続補正９】
【補正対象書類名】明細書
【補正対象項目名】００１９
【補正方法】変更
【補正の内容】
【００１９】
カメラ通信部１０２はカメラマイコン１０１とアクセサリー２００に備えられたアクセサリーマイコン２０１とを接続するためのインターフェース回路（Ｉ／Ｆ）である。そして、カメラ通信部１０２は、後述する第１の通信方式および第２の通信方式の双方に対応している。カメラ本体１００は通信接点部１０３によってアクセサリー２００に接続される。
【手続補正１０】
【補正対象書類名】明細書
【補正対象項目名】００８７
【補正方法】変更
【補正の内容】
【００８７】
アクセサリー２００がＢｕｓｙ状態でないと（ステップＳ８５１において、ＮＯ）、カメラマイコン１０１はアクセサリー２００のＢｕｓｙ期間を計測するためのタイマーをクリアするとともに、第１の通信方式でアクセサリー２００と通信を行う（ステップＳ８５３）。そして、カメラマイコン１０１は、アクセサリー２００との所定の通信が終了したか否かを判定する（ステップＳ８５４）。なお、所定の通信とは、例えば、アクセサリー識別のための通信、各種情報の交換、および発光制御のための通信（ストロボの場合）などの一連の通信をいう。
【手続補正１１】
【補正対象書類名】明細書
【補正対象項目名】０１００
【補正方法】変更
【補正の内容】
【０１００】
一方、所定の通信が終了しないと（ステップＳ８１４において、ＮＯ）、カメラマイコン１０１はアクセサリー２００がＢｕｓｙ状態であるか（つまり、ＡＤＡＴＡ＿Ｃ端子＝Ｌレベルであるか）否かを判定する（ステップＳ８１５）。アクセサリー２００がＢｕｓｙ状態であると（ステップＳ８１５において、ＹＥＳ）、カメラマイコン１０１はタイムアウトしたか否かを判定する（ステップＳ８１７）。ここでは、カメラマイコン１０１はアクセサリー２００がＢｕｓｙ状態である時間が所定の時間継続するとタイムアウトと判定する。
【手続補正１２】
【補正対象書類名】明細書
【補正対象項目名】０１４０
【補正方法】変更
【補正の内容】
【０１４０】
アクセサリーマイコン２０１およびアクセサリー通信部２０２は通知手段、設定手段、切り替え手段、および受信手段として機能する。
【手続補正１３】
【補正対象書類名】明細書
【補正対象項目名】０１４２
【補正方法】変更
【補正の内容】
【０１４２】
例えば、上記の実施の形態の機能を制御方法として、この制御方法を電子機器又はアクセサリー機器に実行させるようにすればよい。また、上述の実施の形態の機能を有するプログラムを制御プログラムとして、当該制御プログラムを電子機器又はアクセサリー機器が備えるコンピュータに実行させるようにしてもよい。なお、制御プログラムは、例えば、コンピュータに読み取り可能な記録媒体に記録される。
【手続補正１４】
【補正対象書類名】特許請求の範囲
【補正対象項目名】全文
【補正方法】変更
【補正の内容】
【特許請求の範囲】
【請求項１】
接続されたアクセサリー機器と通信可能な電子機器であって、
前記アクセサリー機器が予め定められた第１の通信方式および前記第１の通信方式の通信速度よりその通信速度が速い第２の通信方式の双方に対応しているか否かを検出する検出手段と、
前記検出手段によって前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定手段と、
を有することを特徴とする電子機器。
【請求項２】
前記設定手段は、前記検出手段によって前記アクセサリー機器が前記第１の通信方式にのみに対応することが検出された場合、前記アクセサリー機器と通信を行う際には前記第１の通信方式を設定することを特徴とする請求項１に記載の電子機器。
【請求項３】
前記アクセサリー機器にクロック信号を送信する第１の送信手段と、
前記クロック信号に同期して前記アクセサリー機器にデータを電子機器データとして送信する第２の送信手段と、
前記クロック信号に同期して前記アクセサリー機器からデータをアクセサリーデータとして受ける第１の受信手段とが備えられていることを特徴とする請求項１又は２に記載の電子機器。
【請求項４】
前記アクセサリーデータの電圧レベルを所定の電圧閾値と比較するレベル比較手段と、
前記レベル比較手段による比較結果に応じて前記アクセサリー機器に接続されているか否かを判定する判定手段とが備えられていることを特徴とする請求項３に記載の電子機器。
【請求項５】
前記第１の通信方式は前記アクセサリーデータにおけるＬレベルが前記電圧閾値よりも高く、前記第２の通信方式は前記アクセサリーデータにおけるＬレベルが前記電圧閾値よりも低いことを特徴とする請求項４に記載の電子機器。
【請求項６】
前記第１の通信方式および前記第２の通信方式で用いられる信号のＨレベルは互いに異なる電圧レベルであり、
前記設定手段は、前記第１の通信方式で用いられる信号をＨレベルとして前記第１の通信方式に設定された旨を前記アクセサリー機器に通知することを特徴とする請求項５に記載の電子機器。
【請求項７】
前記設定手段は、前記第１の通信方式に設定された旨を通知した後、前記アクセサリーデータが前記第１の通信方式におけるＬレベルとなって、その後、前記第１の通信方式におけるＨレベルとなったことを検出すると、前記アクセサリー機器が前記第１の通信方式に設定されたとすることを特徴とする請求項６に記載の電子機器。
【請求項８】
前記電子機器は、被写体を撮像して画像データを得る撮像装置であり、前記アクセサリー機器は発光装置であることを特徴とする請求項１乃至７のいずれか１項に記載の電子機器。
【請求項９】
接続された電子機器と通信可能なアクセサリー機器であって、
予め定められた第１の通信方式および前記第１の通信方式の通信速度よりその通信速度が速い第２の通信方式のいずれか一方を設定する設定手段と、
前記電子機器から送信されたクロック信号を受信する受信手段と、
前記クロック信号が前記第１の通信方式におけるＨレベルに変化することを検知すると、アクセサリーデータを第１の通信方式におけるＬレベルからＨレベルと変化させて、前記第１の通信方式に設定されたことを前記電子機器に通知する通知手段と、
を有することを特徴とするアクセサリー機器。
【請求項１０】
前記クロック信号が前記第１の通信方式におけるＨレベルに変化することを検知すると、前記第１の通信方式に切り替えて通信方式の切替えを前記電子機器に通知する切り替え手段を有することを特徴とする請求項９に記載のアクセサリー機器。
【請求項１１】
前記アクセサリー機器は、発光装置であり、
前記設定手段は、発光制御の際に前記第１の通信方式に設定し、 前記通知手段は、発光動作が行われると前記アクセサリーデータをＬレベルとして前記電子機器にビジー状態であることを通知することを特徴とする請求項９又は１０に記載のアクセサリー機器。
【請求項１２】
接続されたアクセサリー機器と通信可能な電子機器の制御方法であって、
前記アクセサリー機器が予め定められた第１の通信方式および前記第１の通信方式の通信速度よりその通信速度が速い第２の通信方式の双方に対応しているか否かを検出する検出ステップと、
前記検出ステップで前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定ステップと、
を有することを特徴とする制御方法。
【請求項１３】
接続された電子機器と通信可能なアクセサリー機器の制御方法であって、
予め定められた第１の通信方式および前記第１の通信方式の通信速度よりその通信速度が速い第２の通信方式のいずれか一方を設定する設定ステップと、
前記電子機器から送信されたクロック信号が前記第１の通信方式におけるＨレベルに変化することを検知すると、アクセサリーデータを第１の通信方式におけるＬレベルからＨレベルと変化させて、前記第１の通信方式に設定されたことを前記電子機器に通知する通知ステップと、
を有することを特徴とする制御方法。
【請求項１４】
接続されたアクセサリー機器と通信可能な電子機器で用いられる制御プログラムであって、
前記電子機器が備えるコンピュータに、
前記アクセサリー機器が予め定められた第１の通信方式および前記第１の通信方式の通信速度よりその通信速度が速い第２の通信方式の双方に対応しているか否かを検出する検出ステップと、
前記検出ステップで前記アクセサリー機器が前記第１の通信方式および前記第２の通信方式の双方に対応していると検出されると、前記アクセサリー機器と通信を行う際に前記第２の通信方式を設定し、前記アクセサリー機器と通信を行う場合を除いて前記第１の通信方式を設定する設定ステップと、
を実行させることを特徴とする制御プログラム。
【請求項１５】
接続されたアクセサリー機器と通信可能な電子機器で用いられる制御プログラムであって、
前記電子機器が備えるコンピュータに、
予め定められた第１の通信方式および前記第１の通信方式の通信速度よりその通信速度が速い第２の通信方式のいずれか一方を設定する設定ステップと、
前記電子機器から送信されたクロック信号が前記第１の通信方式におけるＨレベルに変化することを検知すると、アクセサリーデータを第１の通信方式におけるＬレベルからＨレベルと変化させて、前記第１の通信方式に設定されたことを前記電子機器に通知する通知ステップと、
を実行させることを特徴とする制御プログラム。